【手続補正書】
【提出日】平成21年2月24日(2009.2.24)
【手続補正１】
【補正対象書類名】特許請求の範囲
【補正対象項目名】全文
【補正方法】変更
【補正の内容】
【特許請求の範囲】
【請求項１】
デジタル・ライセンスのための条件（requirements）を、対応するデジタル・コンテンツの受信機から、前記デジタル・コンテンツがレンダリングされる計算機へ通信する方法であって、
前記受信機が前記コンテンツを選択して、前記コンテンツの選択時に、前記ライセンスのための前記条件に関係する情報を発見するよう待機するステップと、
前記受信機が、前記ライセンスのための前記条件に関係する情報を発見する前に、デフォルト条件を含むデフォルト・メッセージを構築し、前記構築されたデフォルト・メッセージを前記デフォルト条件と共に前記計算機へ送信するステップと、
前記計算機が、送信された前記構築されたデフォルト・メッセージを前記デフォルト条件と共に受信すると、前記受信されたデフォルト条件に基づいて、前記ライセンスのデフォルト・バージョンを構築し、前記ライセンスの前記構築されたデフォルト・バージョンを前記計算機のライセンス記憶装置に記憶し、前記ライセンスの前記デフォルト・バージョンだけに従って前記コンテンツをレンダリングするステップと、
前記受信機が、前記ライセンスのための前記条件と関係する情報を発見した後、前記発見された情報から実際の条件を用いて実際のメッセージを構築し、前記構築された実際のメッセージを前記実際の条件と共に前記計算機に送信するステップと、
前記計算機が、前記送信された実際のメッセージを前記実際の条件と共に受信すると、前記受信された実際の条件に基づいて前記ライセンスの実際のバージョンを構築し、前記ライセンスの前記デフォルト・バージョンの代わりに前記ライセンスの前記構築された実際のバージョンを前記計算機のライセンス記憶装置に記憶し、前記ライセンスの前記実際のバージョンだけに従って前記コンテンツをレンダリングするステップと、
を含み、よって、前記受信機が、前記ライセンスのための前記条件と関係する前記条件を発見するまで、前記計算機による前記コンテンツのレンダリングを遅らせる必要がないことを特徴とする方法。
【請求項２】
請求項１記載の方法において、前記デジタル・コンテンツは、複数の前記ストリームを有する信号からのデジタル・コンテンツのストリームであり、前記方法は、前記受信機が前記信号から前記ストリームを選択するステップを含むことを特徴とする方法。
【請求項３】
請求項１記載の方法において、前記受信機が、前記ライセンスのための前記条件と関係する情報を発見する前に、別の計算機において前記コンテンツのコピーがレンダリングされるのを許さないデフォルト条件を含むデフォルト・メッセージを構築するステップを含むことを特徴とする方法。
【請求項４】
請求項１記載の方法において、前記受信機は、前記条件と関係する前記情報を、前記コンテンツの中の既知の間隔及び位置において発見することを特徴とする方法。
【請求項５】
請求項１記載の方法において、前記計算機は、前記条件のそれぞれのフィールドを所定のマッピング規則に従って前記ライセンスにマップするマッピング・アルゴリズムを用いることにより、前記受信された条件に基づいて前記ライセンスを構築することを特徴とする方法。
【請求項６】
請求項１記載の方法において、
前記受信機が、前記ライセンスのための前記条件と関係する情報を発見する前に、カウント値をインクリメントして、前記デフォルト条件と前記カウント値とを含むデフォルト・メッセージを構築し、前記構築されたデフォルト・メッセージを前記デフォルト条件及び前記カウント値と共に前記計算機に送信するステップと、
前記受信機が、前記ライセンスのための前記条件と関係する情報を発見した後に、前記カウント値ｘをインクリメントせず、代わりに前記実際の条件とインクリメントされていない前記カウント値とを用いて実際のメッセージを構築し、前記構築された実際のメッセージを前記実際の条件及び前記インクリメントされていないカウント値と共に前記計算機に送信するステップと、
を含み、前記計算機は、前記実際のメッセージの中の前記インクリメントされていないカウント値を、前記ライセンスの前記構築された実際のバージョンが前記ライセンスの前記デフォルト・バージョンの代わりに前記ライセンス記憶装置に記憶されるべきであることを意味するものと理解することを特徴とする方法。
【請求項７】
請求項１記載の方法において、前記ライセンスのための前記条件と関係する情報を前記コンテンツの内部において発見するステップを含むことを特徴とする方法。
【請求項８】
デジタル・ライセンスのための条件を、対応するデジタル・コンテンツの受信機から、前記デジタル・コンテンツがレンダリングされる計算機へ通信する方法を実装するコンピュータ実行可能な命令を記憶したコンピュータ可読媒体であって、前記方法は、
前記受信機が前記コンテンツを選択して、前記コンテンツの選択時に、前記ライセンスのための前記条件に関係する情報を発見するよう待機するステップと、
前記受信機が、前記ライセンスのための前記条件に関係する情報を発見する前に、デフォルト条件を含むデフォルト・メッセージを構築し、前記構築されたデフォルト・メッセージを前記デフォルト条件と共に前記計算機へ送信するステップと、
前記計算機が、送信された前記構築されたデフォルト・メッセージを前記デフォルト条件と共に受信すると、前記受信されたデフォルト条件に基づいて、前記ライセンスのデフォルト・バージョンを構築し、前記ライセンスの前記構築されたデフォルト・バージョンを前記計算機のライセンス記憶装置に記憶し、前記ライセンスの前記デフォルト・バージョンだけに従って前記コンテンツをレンダリングするステップと、
前記受信機が、前記ライセンスのための前記条件と関係する情報を発見した後、前記発見された情報から実際の条件を用いて実際のメッセージを構築し、前記構築された実際のメッセージを前記実際の条件と共に前記計算機に送信するステップと、
前記計算機が、前記送信された実際のメッセージを前記実際の条件と共に受信すると、前記受信された実際の条件に基づいて前記ライセンスの実際のバージョンを構築し、前記ライセンスの前記デフォルト・バージョンの代わりに前記ライセンスの前記構築された実際のバージョンを前記計算機のライセンス記憶装置に記憶し、前記ライセンスの前記実際のバージョンだけに従って前記コンテンツをレンダリングするステップと、
を含み、よって、前記受信機が、前記ライセンスのための前記条件と関係する前記条件を発見するまで、前記計算機による前記コンテンツのレンダリングを遅らせる必要がないことを特徴とするコンピュータ可読媒体。
【請求項９】
請求項請求項８記載の媒体において、前記デジタル・コンテンツは、複数のストリームを有する信号からのデジタル・コンテンツのストリームであり、前記方法は、前記受信機が前記信号から前記ストリームを選択するステップを含むことを特徴とする媒体。
【請求項１０】
請求項８記載の媒体において、前記方法は、前記受信機が、前記ライセンスのための前記条件と関係する情報を発見する前に、別の計算機において前記コンテンツのコピーがレンダリングされるのを許さないデフォルト条件を含むデフォルト・メッセージを構築するステップを含むことを特徴とする媒体。
【請求項１１】
請求項８記載の媒体において、前記受信機は、前記条件と関係する前記情報を、前記コンテンツの中の既知の間隔及び位置において発見することを特徴とする媒体。
【請求項１２】
請求項８記載の媒体において、前記計算機は、前記条件のそれぞれのフィールドを所定のマッピング規則に従って前記ライセンスにマップするマッピング・アルゴリズムを用いることにより、前記受信された条件に基づいて前記ライセンスを構築することを特徴とする媒体。
【請求項１３】
請求項８記載の媒体において、前記方法は、
前記受信機が、前記ライセンスのための前記条件と関係する情報を発見する前に、カウント値をインクリメントして、前記デフォルト条件と前記カウント値とを含むデフォルト・メッセージを構築し、前記構築されたデフォルト・メッセージを前記デフォルト条件及び前記カウント値と共に前記計算機に送信するステップと、
前記受信機が、前記ライセンスのための前記条件と関係する情報を発見した後に、前記カウント値ｘをインクリメントせず、代わりに前記実際の条件とインクリメントされていない前記カウント値とを用いて実際のメッセージを構築し、前記構築された実際のメッセージを前記実際の条件及び前記インクリメントされていないカウント値と共に前記計算機に送信するステップと、
を含み、前記計算機は、前記実際のメッセージの中の前記インクリメントされていないカウント値を、前記ライセンスの前記構築された実際のバージョンが前記ライセンスの前記デフォルト・バージョンの代わりに前記ライセンス記憶装置に記憶されるべきであることを意味するものと理解することを特徴とする媒体。
【請求項１４】
請求項８記載の媒体において、前記方法は、前記ライセンスのための前記条件と関係する情報を前記コンテンツの内部において発見するステップを含むことを特徴とする媒体。